(57)【要約】【課題】建物の壁面等に形成される凹部に収納されている物品を容易に見つけて当該物品に対する迅速なアクセスを可能にする建物壁面等の物品収納構造を提供する。【解決手段】上記課題を解決するために本発明の建物壁面等の物品収納構造１００は、連続する一対の壁面１ａ、１ｂが交差してできる出隅又は入り隅部分Ａ、Ｂを有する建物に適用される物品収納構造において、前記連続する一対の壁面等１ａ、１ｂが交差する出隅又は入り隅部分Ａ、Ｂに物品３を収納する凹部２Ａ、２Ｂを設けることによって構成されている。【選択図】図４
2016132908.tif 000002
【特許請求の範囲】
【請求項１】
連続する一対の壁面等が交差してできる出隅又は入り隅部分を有する建物に適用される物品収納構造において、
前記連続する一対の壁面等（１ａ、１ｂ）が交差する出隅又は入り隅部分（Ａ、Ｂ）に、物品（３）を収納する凹部（２Ａ、２Ｂ）を設けた、ことを特徴とする建物壁面等の物品収納構造。
【請求項２】
請求項１に記載の建物壁面等の物品収納構造において、
前記凹部（２Ａ、２Ｂ）は、該凹部（２Ａ、２Ｂ）の開放された前面から奥行き方向へ伸びる底板部（２ａ）、頂板部（２ｂ）、及び左右の側板部（２ｃ、２ｄ）と、該凹部（２Ａ、２Ｂ）の開放された背面を閉塞する背板部（２ｅ）とから構成されていることを特徴とする建物壁面等の物品収納構造。
【請求項３】
請求項２に記載の建物壁面等の物品収納構造において、
前記左右の側板部（２ｃ、２ｄ）と背板部（２ｅ）は、１枚の折り曲げられた板材又は１枚の湾曲した板材によって構成されていることを特徴とする建物壁面等の物品収納構造。
【請求項４】
請求項２又は３に記載の建物壁面等の物品収納構造において、
前記凹部（２Ａ、２Ｂ）の開放された前面には、ドアが設けられていないことを特徴とする建物壁面等の物品収納構造。
【請求項５】
請求項２又は３に記載の建物壁面等の物品収納構造において、
前記凹部（２Ａ、２Ｂ）の開放された前面は、凹部（２Ａ、２Ｂ）に収納された物品（３）を覆う開閉可能なドア（６）により覆われていることを特徴とする建物壁面等の物品収納構造。
【請求項６】
請求項５に記載の建物壁面等の物品収納構造において、
前記ドア（６）は、凹部（２Ａ、２Ｂ）に収納された物品（３）を外部から視認可能な材料から形成されていることを特徴とする建物壁面等の物品収納構造。
【請求項７】
請求項５に記載の建物壁面等の物品収納構造において、
前記ドア（６）は、前記交差する一対の壁面等（１ａ、１ｂ）の一方の壁面等（１ａ）と平行で該壁面等（１ａ）と面一の第１覆板（６ａ）と、
前記交差する一対の壁面等（１ａ、１ｂ）の他方の壁面等（１ｂ）と平行で該壁面等（１ｂ）と面一の第２覆板（６ｂ）と、を備えていることを特徴とする建物壁面等の物品収納構造。
【請求項８】
請求項1乃至７の何れか１項に記載の建物壁面等の物品収納構造において、
前記凹部（２Ａ、２Ｂ）は、建物壁面等（１ａ、１ｂ）の一部を取り除いて形成される削除部（１０）に収容される収納筐体（１１）によって構成されており、
前記収納筐体（１１）は、支持部材（５）によって建物の一部に固定されていることを特徴とする建物壁面等の物品収納構造。
【請求項９】
請求項１乃至８の何れか１項に記載の建物壁面等の物品収納構造において、
前記物品（３）は、消火器又は装飾品であることを特徴とする建物壁面等の物品収納構造。
【発明の詳細な説明】
【技術分野】
【０００１】
本発明は、建物の壁面等の一部を取り除いて、物品の収納・展示スペースを形成する場合に適用することができる建物壁面等の物品収納構造に関する。
【背景技術】
【０００２】
従来から、住宅の玄関等の壁面の一部を取り除いて窪みを作り、その窪みをディスプレイに利用して装飾品や花、あるいは写真等を展示することが行われている。また、多くの人が集まる駅や学校、公民館、映画館、劇場、美術館、ホール、あるいはホテル、マンション等では、真直な壁面の一部を取り除いて凹部を形成し、該凹部に対して消火器等の非常用の物品や装飾用の物品を収納することが多く行われている。そして、該凹部の開口面となる前面には透明なプラスチック材料等によって形成される開閉扉等が取り付けられていて、該開閉扉を閉めた状態でも外部から凹部内に収納された物品が視認できるようになっている。
【０００３】
また、上記窪みや凹部に設置する目的で規格化された下記の特許文献１乃至３に示すようなニッチと呼ばれる収納筐体等も登場して来ている。
このうち、特許文献１では照明器具を備えたニッチが開示されており、前面板を設けることで該照明器具を外部から見えないように隠して見栄えを向上させている。
【０００４】
また、特許文献２では、背板を嵌め込み構造にすることで、背板を着脱可能に構成したニッチが開示されており、ニッチに飾る装飾品と共に、季節に合わせて背板を取替えることができるようにしている。
【０００５】
更に、特許文献３では、ニッチ本体の外周側部に対して前面に扉を設けた棚状の収納部を設け、ニッチ本体の外周下部に対して引出し式の収納部を備えたニッチが開示されており、装飾品の展示スペースに加えて、物品の収納もできるニッチについて説明している。
【先行技術文献】
【特許文献】
【０００６】
【特許文献１】特開平９−８８３２５号公報
【特許文献２】特開平９−１２５６７６号公報
【特許文献３】特開平９−１２５６７７号公報
【発明の概要】
【発明が解決しようとする課題】
【０００７】
上記特許文献１乃至３は、いずれも単一の真直な壁に対して凹部を形成し、該凹部内に物品を収納するという構成が採られている。しかし、連続する一対の壁が交差して折れ曲がって出隅又は入り隅と呼ばれる角部ができている場合には、該一対の壁の角部が邪魔になって上記凹部に収納された物品（例えば消火器）が見つけ難いときがある。また、上記一対の壁を構成しているそれぞれの壁が奥行き方向乃至間口方向に長いと、特に当該壁面に近い壁面に沿った位置からは、上記消火器等が収納されている場所が発見し難いときがあり、問題点になっていた。
【０００８】
本発明が解決しようとする課題は、建物の壁面等に出隅又は入り隅が形成されている場合でも、当該建物の壁面等に形成される凹部に収納されている物品を容易に見つけて、当該物品の存する場所に速やかに到達することができる、視認性に優れ、当該物品に対する迅速なアクセスが可能な建物壁面等の物品収納構造を提供することである。
【課題を解決するための手段】
【０００９】
上記課題を解決するために、本発明の請求項１記載の建物壁面等の物品収納構造は、連続する一対の壁面等が交差してできる出隅又は入り隅部分を有する建物に適用される物品収納構造において、前記連続する一対の壁面等（１ａ、１ｂ）が交差するは出隅又は入り隅部分（Ａ、Ｂ）に、物品（３）を収納する凹部（２Ａ、２Ｂ）を設けた、ことを特徴とする。
【００１０】
また、前記凹部（２Ａ、２Ｂ）は、該凹部（２Ａ、２Ｂ）の開放された前面から奥行き方向へ伸びる底板部（２ａ）、頂板部（２ｂ）、及び左右の側板部（２ｃ、２ｄ）と、該凹部（２Ａ、２Ｂ）の開放された背面を閉塞する背板部（２ｅ）とから構成することが可能である。
【００１１】
また、前記左右の側板部（２ｃ、２ｄ）と、背板部（２ｅ）は、１枚の折り曲げられた板材又は１枚の湾曲した板材によって構成することが可能である。
また、前記凹部（２Ａ、２Ｂ）の開放された前面は、ドアが設けられていなくてもよく、又は凹部（２Ａ、２Ｂ）に収納された物品（３）を覆う開閉可能なドア（６）により覆われていてもよい。
【００１２】
また、前記ドア（６）は、凹部（２Ａ、２Ｂ）に収納された物品（３）を外部から視認可能な材料から形成されていてもよい。
また、前記ドア（６）は、前記交差する一対の壁面等（１ａ、１ｂ）の一方の壁面等（１ａ）と平行で該壁面（１ａ）と面一の第１覆板（６ａ）と、前記交差する一対の壁面等（１ａ、１ｂ）の他方の壁面等（１ｂ）と平行で該壁面等（１ｂ）と面一の第２覆板（６ｂ）と、を備えていてもよい。
【００１３】
また、前記凹部（２Ａ、２Ｂ）は、建物の壁面等（１ａ、１ｂ）の一部を取り除いて形成される削除部（１０）に収容される収納筐体（１１）によって構成することが可能で、前記収納筐体（１１）は、支持部材（５）によって建物の一部に固定されていてもよい。
【００１４】
また、前記物品（３）は、消火器又は装飾品であってもよい。
【発明の効果】
【００１５】
本発明の建物壁面等の物品収納構造によれば次に示す効果がある。
（１）先ず、本発明では、連続する一対の壁面等（１ａ、１ｂ）が交差する出隅又は入り隅部分（Ａ、Ｂ）に、物品（３）を収納する凹部（２Ａ、２Ｂ）を設けているから、特に出隅部分（Ａ）に凹部（２Ａ）を設けた場合には、凹部（２Ａ）内に収納した物品（３）が壁面等（１ａ、１ｂ）から突出して見えるので当該壁面等（１ａ、１ｂ）が邪魔になることはなく、何れの方向からも当該物品（３）を容易に視認して当該物品（３）に対する迅速なアクセスが可能になる。
【００１６】
また、入り隅部分（Ｂ）に凹部（２Ｂ）を設けた場合には、交差して連続する一対の壁面等（１ａ、１ｂ）の一方の壁面等（例えば１ａ）に近い当該壁面等（１ａ）に沿った位置からでも、当該壁面等（１ａ）と交差する他方の壁面等（１ｂ）に連なる凹部（２Ｂ）の開放された前面が見えるから、該凹部（２Ｂ）内の物品（３）を視認でき、当該物品（３）に対する迅速なアクセスが可能になる。
（２）また、前記凹部（２Ａ、２Ｂ）を、開放された前面から奥行き方向へ伸びる底板部（２ａ）、頂板部（２ｂ）、及び左右の側板部（２ｃ、２ｄ）と、該凹部（２Ａ、２Ｂ）の開放された背面を閉塞する背板部（２ｅ）とから構成した場合には、従来使用されていなかった出隅又は入り隅部分（Ａ、Ｂ）の有効利用が図れ、当該出隅又は入り隅部分（Ａ、Ｂ）に区画された物品（３）の収納空間を形成することが可能になる。
【００１７】
また、このうち左右の側板部（２ｃ、２ｄ）と背板部（２ｅ）を、１枚の折り曲げられた板材又は１枚の湾曲した板材によって構成した場合には、部品点数の削減が図れ、凹部（２Ａ、２Ｂ）の側背面の意匠的効果も発揮される。
（３）また、前記凹部（２Ａ、２Ｂ）の開放された前面に、凹部（２Ａ、２Ｂ）に収納された物品（３）の前面を覆う開閉可能なドア（６）を設けた場合には、凹部（２Ａ、２Ｂ）内を密閉して外部からのゴミや塵等の進入を防止することができる。
【００１８】
また、該ドア（６）を、視認性を有する材料から形成した場合には、外部から凹部（２Ａ、２Ｂ）内に収納された物品（３）を視認することが可能である。
また、前記ドア（６）を、一方の壁面等（１ａ）と平行で該壁面等（１ａ）と面一の第１覆板（６ａ）と、他方の壁面等（１ｂ）と平行で該壁面等（１ｂ）と面一の第２覆板（６ｂ）と、を備えていることによって構成した場合には、前記ドア（６）が前記一対の壁面等（１ａ、１ｂ）から突出して張り出すことがなく、前記出隅又は入り隅部分（Ａ、Ｂ）の室内空間等を広く使用することが可能になる。
（４）また、前記凹部（２Ａ、２Ｂ）を、建物の壁面等（１ａ、１ｂ）の一部を取り除いて形成される削除部（１０）に収容される収納筐体（１１）によって構成し、該収納筐体（１１）を支持部材（５）によって建物の一部に固定するようにした場合には、凹部（２Ａ、２Ｂ）に傷が付いたり、ドア（６）の動きに不具合が生じたようなとき、収納筐体（１１）ごと交換することが可能になって凹部（２Ａ、２Ｂ）のメンテナンス性が向上する。
【００１９】
また、前記物品（３）を消火器とした場合には、火災発生時に速やかに消火器が収納されている凹部（２Ａ、２Ｂ）に移動して、消火器を使用した初期消火を行うことが可能になる。また、前記物品（３）を装飾品とした場合には、何れの方向からも当該装飾品を視認できるようになり、当該凹部（２Ａ、２Ｂ）を視認性と美感を兼ね備えたディスプレイとして使用することが可能になる。
【図面の簡単な説明】
【００２０】
【図１】本発明の第１の実施形態による建物壁面等の物品収納構造の設置状態を示す平断面図である。
【図２】本発明の第１の実施形態による建物壁面等の物品収納構造の設置状態を示す正面図である。
【図３】本発明の第１の実施形態による建物壁面等の物品収納構造の設置状態を示す側断面図である。
【図４】本発明の第１の実施形態による建物壁面等の物品収納構造の設置状態を示す斜視図である。
【図５】本発明の第２の実施形態による建物壁面等の物品収納構造の設置状態を示す平断面図である。
【図６】本発明の第２の実施形態による建物壁面等の物品収納構造の設置状態を示す左側面図である。
【図７】本発明の第２の実施形態による建物壁面等の物品収納構造の設置状態を示す正面図である。
【図８】本発明の第２の実施形態による建物壁面等の物品収納構造の設置状態を示す斜視図である。
【発明を実施するための形態】
【００２１】
以下、本発明による建物壁面等の物品収納構造について、図示の実施形態を例にとって具体的に説明する。
尚、以下の説明では、最初に第１の実施形態として、出隅部分Ａに設置する建物壁面等の物品収納構造１００Ａの構成とその設置構造について説明する。
【００２２】
次に、第２の実施形態として、入り隅部分Ｂに設置する建物壁面等の物品収納構造１００Ａの構成とその設置構造について説明する。
（１）第１の実施形態（図１乃至図４参照）
本発明の建物壁面等の物品収納構造１００は、連続する一対の壁面１ａ、１ｂが交差してできる出隅又は入り隅部分Ａ、Ｂに、物品３を収納する凹部２Ｂ、２Ｂを設けることによって基本的に構成されている。
【００２３】
そして、本実施形態では、図1及び図4中、出隅部分Ａに設置する建物壁面等の物品収納構造１００Ａが開示されている。
ここで、本明細書において使用する「連続する一対の壁面等」とは、建物の外郭を構成する壁、建物内部の部屋を仕切る壁、柱等が角度を持って交差している部位の当該壁面同士、壁面と柱面、あるいは柱面同士の組み合わせを意味する。
【００２４】
また、本明細書において使用する「物品」には、消火器や自動体外式除細動器（ＡＥＤ：Ａｕｔｏｍａｔｅｄ  Ｅｘｔｅｒｎａｌ  Ｄｅｆｉｂｒｉｌｌａｔｏｒ）等の非常時に使用する物品、あるいは花や絵画、タペストリー、写真等、装飾を目的にした装飾品等が含まれる。
【００２５】
本実施形態に係る建物壁面等の物品収納構造１００Ａは、図１及び図４に示すように出隅部分Ａの壁面１ａ、１ｂの一部を取り除いて削除部１０を形成し、該削除部１０に対して収納筐体１１によって構成される凹部２Ａを収容することによって構成されている。
【００２６】
そして、図1及び図4中、前記凹部２Ａは、その開放された前面から奥行き方向へ伸びる底板部２ａ、頂板部２ｂ、及び左右の側板部２ｃ、２ｄと、該凹部２Ａの開放された背面を閉塞する背板部２ｅとから構成されている。
【００２７】
このうち、底板部２ａと頂板部２ｂは、図１及び図４に示すように平面視で５角形状をした板材によって一例として構成されており、左右の側板部２ｃ、２ｄと背板部２ｅは、１枚の板材を図示のように折り曲げることによって一例として構成されている。
【００２８】
また、凹部２Ａの開放された前面には、丁番７によって開閉可能に接続されるドア６が取り付けられている。また、該ドア６は、凹部２Ａに収納された物品３を外部から視認できるようにドア６全体を透明又は半透明のプラスチック材料によって形成したり、ドア６の一部に窓部を形成する等の構造が採られている。しかしながら、ドア６は、例えば後述する表示９があれば、不透明な材料で形成してもよい。
【００２９】
そして、前記ドア６は、横断面が略Ｌ形であり、交差する一対の壁面等１ａ、１ｂの一方の壁面１ａと平行で該壁面等１ａとほぼ面一の第１覆板６ａと、交差する一対の壁面等１ａ、１ｂの他方の壁面等１ｂと平行で該壁面等１ｂとほぼ面一の第２覆板６ｂと、を備えることによって構成されている。
【００３０】
また、本実施形態では、前記第１覆板６ａと第２覆板６ｂは、図示のように直交した状態で室内側に凸になるように外折れ状態で接続されており、一例として１枚の板材を９０°折り曲げること等によってドア６が構成されている。
【００３１】
尚、ドア６の第２覆板６ｂの回動基端部の上下と、前記右側板部２ｄの前端部の上下には、前述した丁番７が取り付けられており、前記ドア６の第１覆板６ａの回動自由端の上部には、ドア６の開閉操作の際に使用する貫通取手穴８が設けられている。なお、勿論穴８の替わりに取手等を設けてもよい。
【００３２】
また、本実施形態では、物品３として一例として消火器が収納されており、前記ドア６の第１覆板６ａの上部には、一例として「消火器」と書かれた表示９（図２参照）が設けられている。また、図１及び図４に示すように前述した背板部２ｅの一例として上部には、物品３である消火器を固定しておくための固定金具４が取り付けられており、該固定金具４の係止フック４ａを消火器に取り付けられた係止リング３ａに挿し込んで係止することによって該消化器の固定が図られている。
【００３３】
また、図１に示すように、前記一方の壁面等１ａの前記削除部１０が形成されている左右２箇所の側端の各裏面と、前記右側板部２ｂ及び左側板部２ｃの各裏面とによって形成される左右２つのコーナ部とには夫々、建物の一部に固定され、床面１２と垂直な鉛直方向に伸びる第１支持部材５Ａが設けられている。
【００３４】
また、図３に示すように、前記一方の壁面等１ａの前記削除部１０が形成されている上端及び下端の各裏面と、前記底板部２ａ及び頂板部２ｂの各裏面とによって形成される上下２つのコーナ部には夫々、同じく建物の一部に固定され床面１２と平行な水平方向に伸びる第２支持部材５Ｂが設けられている。そして、前記収納筐体１１は、これらの支持部材５Ａ、５Ｂに対して図１及び図３に示すようにビス１３等を使用して固定されている。
【００３５】
そして、このようにして構成される本実施形態による建物壁面等の物品収納構造１００Ａは、物品３が収納された状態で、ドア６を閉めて図１中の実線に示すように一方の壁面等１ａとドア６の第１覆板６ａとがほぼ面一になり、他方の壁面等１ｂとドア６の第２覆板６ｂとがほぼ面一になる。従って、ドア６が一対の壁面等１ａ、１ｂから突出して張り出すことがないから、当該出隅部分Ａの室内空間等を広く使用することが可能になる。
【００３６】
また、出隅部分Ａでは、凹部２Ａ内に収納した部品３が壁面等１ａ、１ｂから突出して見えるので、当該壁面等１ａ、１ｂが邪魔になることはなく、何れの方向からも当該物品３を容易に視認して当該物品３に対する迅速なアクセスが可能になる。
【００３７】
また、凹部２Ａ内に収納された物品３を取り出すには、図１中の破線及び図４に示すようにドア６の取手穴８に指を突っ込んでドア６を手前に開けて凹部２Ａの前面を開放させる。次に、当該物品３が消火器であれば、消火器に取り付けられている係止リング３ａを固定金具４の係止フック４ａから引き抜いて両者の係止状態を解除し、消火器を凹部２Ａから取り出して消火作業に当たる。
（２）第２の実施の形態（図５乃至図８参照）
本実施形態では入り隅部分Ｂに設置する建物壁面等の物品収納構造１００Ｂが開示されている。即ち、本実施形態に係る建物壁面等の物品収納構造１００Ｂは、図５及び図８に示すように入り隅部分Ｂの壁面等１ａ、１ｂの一部を取り除いて削除部１０を形成し、該削除部１０に対して収納筐体１１によって構成される凹部２Ｂを収容することによって構成されている。
【００３８】
そして、前記凹部２Ｂは、前記第１の実施形態と同様、その開放された前面から奥行き方向へ伸びる底板部２ａ、頂板部２ｂ、及び左右の側板部２ｃ、２ｄと、該凹部２Ｂの開放された背面を閉塞する背板部２ｅとから構成されている。
【００３９】
このうち、底板部２ａと頂板部２ｂは、図５及び図８に示すように室内側の頂部が凹部２Ｂ側に変位して凹陥状になった平面視で変形７角形状をした板材によって一例として構成されている。また、左右の側板部２ｃ、２ｄと背板部２ｅは、１枚の板材を図示のように折り曲げることによって一例として構成されており、図５に示すように背板部２ｅは、３枚の板材２ｅ１、２ｅ２、２ｅ３を台形状に屈曲された状態で接続することによって形成されている。
【００４０】
また、凹部２Ｂの開放された前面には、丁番７によって開閉可能に接続され、前記第１の実施形態と同様、視認性を有する横断面略Ｌ形のドア６が取り付けられている。
そして、前記ドア６は、前記第１の実施形態と同様、一方の壁面等１ａと平行で該壁面等１ａとほぼ面一の第１覆板６ａと、他方の壁面等１ｂと平行で該壁面等１ｂとほぼ面一の第２覆板６ｂと、を備えることによって構成されている。
【００４１】
また、本実施形態では、前記第１覆板６ａと第２覆板６ｂは、図示のように直交した状態で凹部２Ｂ側に凸になるように内折れ状態で接続されており、前記第１の実施形態と同様、一例として１枚の板材を９０°折り曲げること等によってドア６が構成されている。
【００４２】
尚、ドア６の第２覆板６ｂの回動基端部の上下と前記右側板部２ｄの前端部の上下には、前記第１の実施形態と同様、丁番７が取り付けられており、前記ドア６の第１覆板６ａの回動自由端の上部には、前記第１の実施形態と同様、ドア６の開閉操作の際に使用する貫通取手穴８が設けられている。
【００４３】
また、前記第１の実施形態と同様、本実施形態でも物品３として一例として消火器が収納されており、前記ドア６の第１覆板６ａの上部には一例として「消火器」と書かれた表示９が設けられている。また、図５及び図８に示すように、前記第１の実施形態と同様、背板部２ｅの一例として上部には、物品３である消火器を固定しておくための係止フック４ａを備えた固定金具４が取り付けられており、前記消火器には、前記係止フック４ａに挿し込んで係止する係止リング３ａが設けられていて、該消火器の固定が図られている。
【００４４】
また、図５に示すように、前記左側板部２ｃ及び右側板部２ｄの各裏面には夫々、建物の一部に固定され、床面１２と垂直な鉛直方向に伸びる左右２つの支持部材５が設けられている。そして、前記収納筐体１１は、これらの支持部材５に対して図５に示すようにビス１３等を使用して固定されている。
【００４５】
そして、このようにして構成される本実施形態による建物壁面等の物品収納構造１００Ｂは、物品３が収納された状態では、ドア６を閉めて図５中の実線に示すように一方の壁面等１ａとドア６の第１覆板６ａとがほぼ面一になり、他方の壁面等１ｂとドア６の第２覆板６ｂとがほぼ面一になる。従って、ドア６が一対の壁面等１ａ、１ｂから突出して張り出すことがないから、当該入り隅部分Ｂの室内空間等を広く使用することが可能になる。
【００４６】
また、入り隅部分Ｂでは、交差して連続する一対の壁面等１ａ、１ｂの一方の壁面等（例えば１ａ）に近い当該壁面等１ａに沿った位置からでも、当該壁面等１ａと交差する他方の壁面等１ｂに連なる凹部２Ｂの開放された前面が見えるから、該凹部２Ｂ内の物品３の存在を認識でき、当該物品３に対する迅速なアクセスが可能になる。
【００４７】
そして、凹部２Ｂ内に収納された物品３を取り出すには、前記第１の実施形態と同様、図１中の破線及び図８に示すようにドア６の取手穴８に指を突っ込んでドア６を手前に開けて凹部２Ｂの前面を開放させる。次に、当該物品３が消火器であれば、消火器に取り付けられている係止リング３ａを背板部２ｅの中央の板材２ｅ２に取り付けられている固定金具４の係止フック４ａから引き抜いて、消火器を凹部２Ｂから取り出して消火作業に当たる。
【００４８】
以上が本発明の基本的な実施形態であるが、本発明の建物壁面等の物品収納構造１００は、上述した実施形態に限定されるものではなく、本発明の要旨を逸脱しない範囲内の部分的構成の変更や省略、あるいは当業者において周知、慣用の技術を追加することが可能である。
【００４９】
例えば、新築の建物に対して本発明の建物壁面等の物品収納構造１００を設ける場合には、連続する一対の壁面等１ａ、１ｂが交差してできる出隅又は入り隅部分Ａ、Ｂに対して、直接、凹部２Ａ、２Ｂを形成して建物壁面等の物品収納構造１００を形成することが可能である。また、凹部２Ａ、２Ｂを形成する部位は、一般には建物内部の壁面等１ａ、１ｂということになるが、物品３の種類や用途によっては建物の外壁側にできる出隅又は入り隅部分Ａ、Ｂに対して凹部２Ａ、２Ｂを形成することも可能である。
【００５０】
また、凹部２Ａ、２Ｂの左右の側板部２ｃ、２ｄと背面部２ｅを、更に多段に折り曲げた形状にしたり、これらを１枚の湾曲した板材によって形成することが可能である。また、前記実施形態１、２中の説明でも触れたように建物の柱に対して凹部２Ａ、２Ｂを形成することも可能である。この場合、鉄筋コンクリート製の太い柱を備えた建物に対して適用することが考えられる。
【産業上の利用可能性】
【００５１】
本発明は、一般に大型の建物の新築、リフォーム等の施工現場等で利用でき、特に建物の壁面等に形成される凹部に収納されている物品を容易に見付けて当該物品に対する迅速なアクセスを可能にしたい場合に利用可能性を有する。
【符号の説明】
【００５２】
１  壁面等
２  凹部
２ａ  底板部
２ｂ  頂板部
２ｃ  左側板部
２ｄ  右側板部
２ｅ  背板部
３  物品
３ａ  係止リング
４  固定金具
４ａ  係止フック
５  支持部材
６  ドア
６ａ  第１覆板
６ｂ  第２覆板
７  丁番
８  取手穴
９  表示
１０  削除部
１１  収納筐体
１２  床面
１３  ビス
１００  建物壁面等の物品収納構造
Ａ  出隅部分
Ｂ  入り隅部分
【図１】
2016132908.tif 000003
【図２】
2016132908.tif 000004
【図３】
2016132908.tif 000005
【図４】
2016132908.tif 000006
【図５】
2016132908.tif 000007
【図６】
2016132908.tif 000008
【図７】
2016132908.tif 000009
【図８】
2016132908.tif 000010